(57)【特許請求の範囲】
【請求項１】
内巻きされたホースを収納するホース収納部及び該ホース収納部に収納されたホースを引き出すための中央開口部を備えた箱状の本体と、該本体の前面に設けられると共に前記中央開口部の前方に位置する部位が開口する前面パネルと、該前面パネルの開口部に閉鎖可能に設けられ、下辺側を回動軸として前傾可能に設けられた前傾式扉と、該前傾式扉の背面側に設けられて消火ノズルを固定するノズル固定部と、前記前傾式扉の背面側に設けられてホースをガイドするホースガイドとを備えた消火栓装置において、
前記ホースガイドは、所定間隔を離して配置された２本の縦辺部と、該縦辺部を繋ぐ横辺部を有し、前記２本の縦辺部の間にホースが挿入されるものであり、
一方の縦辺部の下端が前記前傾式扉に回動可能に取り付けられ、他方の縦辺部の下端は前記前傾式扉との間に隙間を有しており、前記前傾式扉を閉止した状態では前記一方の縦辺部が自重又は前記一方の縦辺部に取り付けた錘に作用する重力により回動することによって前記他方の縦辺部が前記前傾式扉の下辺寄りに移動することを特徴とする消火栓装置。
【請求項２】
内巻きされたホースを収納するホース収納部及び該ホース収納部に収納されたホースを引き出すための中央開口部を備えた箱状の本体と、該本体の前面に設けられると共に前記中央開口部の前方に位置する部位が開口する前面パネルと、該前面パネルの開口部に閉鎖可能に設けられ、下辺側を回動軸として前傾可能に設けられた前傾式扉と、該前傾式扉の背面側に設けられて消火ノズルを固定するノズル固定部と、前記前傾式扉の背面側に設けられてホースをガイドするホースガイドとを備えた消火栓装置において、
前記ホースガイドは、所定間隔を離して配置された２本の縦辺部と、該縦辺部を繋ぐ横辺部を有し、前記２本の縦辺部の間にホースが挿入されるものであり、前記縦辺部のうち少なくとも前記前傾式扉を開放した状態で前記ノズル固定部寄りに配置された縦辺部が、前記前傾式扉を閉止した状態では前記前傾式扉を開放した状態よりも前記前傾式扉の下辺寄りに移動できる構造であり、
一方の縦辺部の下端が前記前傾式扉に回動可能に取り付けられ、他方の縦辺部の下端が前記前傾式扉との間に隙間を有しており、
前記前傾式扉の開閉の動きを前記一方の縦辺部を回動させる駆動力に変換する駆動力変換機構を有し、
該駆動力変換機構は、
前記前傾式扉の閉止動作時には該閉止動作に連動して前記一方の縦辺部を回動させることにより前記他方の縦辺部を前記前傾式扉の下辺寄りに移動し、
前記前傾式扉の開放動作時には該開放動作に連動して前記一方の縦辺部を回動させることにより前記他方の縦辺部を前記前傾式扉の上辺寄りに移動することを特徴とする消火栓装置。
【請求項３】
内巻きされたホースを収納するホース収納部及び該ホース収納部に収納されたホースを引き出すための中央開口部を備えた箱状の本体と、該本体の前面に設けられると共に前記中央開口部の前方に位置する部位が開口する前面パネルと、該前面パネルの開口部に閉鎖可能に設けられ、下辺側を回動軸として前傾可能に設けられた前傾式扉と、該前傾式扉の背面側に設けられて消火ノズルを固定するノズル固定部と、前記前傾式扉の背面側に設けられてホースをガイドするホースガイドとを備えた消火栓装置において、
前記ホースガイドは、所定間隔を離して配置された２本の縦辺部と、該縦辺部を繋ぐ横辺部を有し、前記２本の縦辺部の間にホースが挿入されるものであり、前記縦辺部のうち少なくとも前記前傾式扉を開放した状態で前記ノズル固定部寄りに配置された縦辺部が、前記前傾式扉を閉止した状態では前記前傾式扉を開放した状態よりも前記前傾式扉の下辺寄りに移動できる構造であり、
前記ホースガイドは、両方の縦辺部が前記前傾式扉の上辺寄りと下辺寄りの位置を移動可能に取り付けられており、
前記前傾式扉の開閉の動きに連動して前記ホースガイドを前記前傾式扉の上辺寄りと下辺寄りの位置で移動させるホースガイド移動機構を有し、
該ホースガイド移動機構は、
前記前傾式扉の閉止動作時には該閉止動作に連動して前記ホースガイドを前記前傾式扉の下辺寄りに移動し、前記前傾式扉の開放動作時には該開放動作に連動して前記ホースガイドを前記前傾式扉の上辺寄りに移動することを特徴とする消火栓装置。
【請求項４】
内巻きされたホースを収納するホース収納部及び該ホース収納部に収納されたホースを引き出すための中央開口部を備えた箱状の本体と、該本体の前面に設けられると共に前記中央開口部の前方に位置する部位が開口する前面パネルと、該前面パネルの開口部に閉鎖可能に設けられ、下辺側を回動軸として前傾可能に設けられた前傾式扉と、該前傾式扉の背面側に設けられて消火ノズルを固定するノズル固定部と、前記前傾式扉の背面側に設けられてホースをガイドするホースガイドとを備えた消火栓装置において、
前記ホースガイドは、所定間隔を離して配置された２本の縦辺部と、該縦辺部を繋ぐ横辺部を有し、前記２本の縦辺部の間にホースが挿入されるものであり、前記縦辺部のうち少なくとも前記前傾式扉を開放した状態で前記ノズル固定部寄りに配置された縦辺部が、前記前傾式扉を閉止した状態では前記前傾式扉を開放した状態よりも前記前傾式扉の下辺寄りに移動できる構造であり、
前記移動可能な縦辺部を前記前傾式扉の上辺寄りと下辺寄りの位置で移動させる駆動手段と、前記消火ノズルがノズル固定部に固定されたか、又は外されたかを検知する検知手段と、該検知手段の検知信号を入力して前記駆動手段を駆動させる制御部とを有し、
該制御部は、
前記消火ノズルがノズル固定部から外された旨の信号が入力されると前記縦辺部が上辺寄りに移動するように前記駆動手段を駆動し、
前記消火ノズルがノズル固定部に固定された旨の信号が入力されると前記縦辺部が下辺寄りに移動するように前記駆動手段を駆動することを特徴とする消火栓装置。
【発明の詳細な説明】
【技術分野】
【０００１】
本発明は、トンネル等に設置される前傾式扉を備えた消火栓装置に関する。
【背景技術】
【０００２】
トンネルには消火栓装置が設けられているが、この消火栓装置が設置される箇所について図１８に基づいて説明する。
トンネル５１には、車道５２が設けられ、その側部には１ｍ程度の高さの監査路５３が設けられている。
監査路５３から立ち上がっているトンネル壁面５５には、箱抜き空間５７が形成されており、この箱抜き空間５７の床面にベースが固定され、そのベースを介して消火栓装置５９が設置されている。
【０００３】
従来の消火栓装置５９は、図１９に示す特許文献１に開示されたもののように、ホース６０を収納するホース収納部６１を備えた箱状の本体６３と、本体６３の前面に設けられ、ホース収納部６１の前方に位置する開口部６５ａを有する前面パネル６５と、前面パネル６５の開口部６５ａに開閉可能に設けられる前傾式扉６７とを備えている。
【０００４】
前傾式扉６７の背面側には、逆Ｕ字状のホースガイド６９が設けられ、先端に消火ノズル７１が接続されたホース６０が挿通されている。また、前傾式扉６７の背面には、消火ノズル７１を着脱可能に保持するホースホルダ７３や、消火栓の操作レバー７５も設けられている。
【０００５】
消火栓装置５９の前傾式扉６７は、前方に倒れるように開放動作するものであり、トンネル５１内で火災が発生した場合には、前傾式扉６７を開放してホース６０をホースガイド６９にガイドさせながら引き出して消火活動を行う。
【０００６】
前傾式扉６７は下辺側を回動軸として略９０度まで回動し、開放時において、前傾式扉６７は背面を上方に向けて監査路５３の路面と略平行な状態になる。この前傾式扉６７の開放状態において、前傾式扉６７の先端（上端）は、監査路５３の幅内に収まっており、監査路５３（車道側の先端）より大きく突出することがないのが通常である。
【先行技術文献】
【特許文献】
【０００７】
【特許文献１】特開２００１−９５９４０号公報
【発明の概要】
【発明が解決しようとする課題】
【０００８】
ところで、道路、トンネルにおいては、車両や歩行者の交通の安全性・円滑性に支障をきたすことを防ぐため、構造物を配置してはならない一定の幅、一定の高さの範囲を、建築限界として定めている。
【０００９】
消火栓装置５９が設置される監査路５３の幅が狭く、または箱抜き空間がないトンネルにおいて消火栓装置５９を後付けで設置するような場合は、消火栓装置５９の前傾式扉６７が、トンネルの建築限界を侵す可能性がある。つまり、前傾式扉６７を開放したとき、前傾式扉６７の先端部が、監査路５３の幅を越えて監査路５３から突出することになる。このとき車道側に突出する扉先端部の割合が大きいと、トンネルの建築限界を超えることになり、また突出する割合がそれ程大きくなくとも、監査路５３から突出した扉先端部は、トンネル火災時における避難の妨げとなる。
【００１０】
そのため、前傾式扉６７の高さをできるだけ低くして、前傾式扉６７を開放した場合にも、監査路５３の幅内に収まる、つまり監査路５３（車道側の先端）より大きく突出することはないようにすることが望まれている。
【００１１】
一方、前述したように前傾式扉６７の背面側には、消火ノズル７１を保持するホースホルダ７３とホースガイド６９が設けられている。ホースホルダ７３は、消火ノズル７１を保持することによって、ホース収納時において消火ノズル７１からホース収納部６１に至るホース部分の収納を確実にし、またホースガイド６９は、ホース引出し時においてホース６０を円滑に引き出せるようにするという機能を有しているところ、前傾式扉６７の高さが低くなってとしても、これらの機能を阻害しないようにする必要がある。
【００１２】
本発明はかかる課題を解決するためになされたものであり、前傾式扉の高さが低くなった場合であっても、ホースの収納性とホースの引出し性能に優れた消火栓装置を提供することを目的としている。
【課題を解決するための手段】
【００１３】
（１）本発明に係る消火栓装置は、内巻きされたホースを収納するホース収納部及び該ホース収納部に収納されたホースを引き出すための中央開口部を備えた箱状の本体と、該本体の前面に設けられると共に前記中央開口部の前方に位置する部位が開口する前面パネルと、該前面パネルの開口部に閉鎖可能に設けられ、下辺側を回動軸として前傾可能に設けられた前傾式扉と、該前傾式扉の背面側に設けられて消火ノズルを固定するノズル固定部と、前記前傾式扉の背面側に設けられてホースをガイドするホースガイドとを備えた消火栓装置において、
前記ホースガイドは、所定間隔を離して配置された２本の縦辺部と、該縦辺部を繋ぐ横辺部を有し、前記２本の縦辺部の間にホースが挿入されるものであり、前記縦辺部のうち少なくとも前記前傾式扉を開放した状態で前記ノズル固定部寄りに配置された縦辺部が、前記前傾式扉を閉止した状態では前記前傾式扉を開放した状態よりも前記前傾式扉の下辺寄りに移動できる構造であることを特徴とするものである。
【００１４】
（２）また、上記（１）に記載のものにおいて、一方の縦辺部の下端が前記前傾式扉に回動可能に取り付けられ、他方の縦辺部の下端は前記前傾式扉との間に隙間を有しており、前記前傾式扉を閉止した状態では前記一方の縦辺部が回動することによって前記他方の縦辺部が前記前傾式扉の下辺寄りに移動することを特徴とする特徴とするものである。
【００１５】
（３）また、上記（１）に記載のものにおいて、一方の縦辺部の下端が前記前傾式扉に回動可能に取り付けられ、他方の縦辺部の下端が前記前傾式扉との間に隙間を有しており、
前記前傾式扉の開閉の動きを前記一方の縦辺部を回動させる駆動力に変換する駆動力変換機構を有し、
該駆動力変換機構は、
前記前傾式扉の閉止動作時には該閉止動作に連動して前記一方の縦辺部を回動させることにより前記他方の縦辺部を前記前傾式扉の下辺寄りに移動し、
前記前傾式扉の開放動作時には該開放動作に連動して前記一方の縦辺部を回動させることにより前記他方の縦辺部を前記前傾式扉の上辺寄りに移動することを特徴とするものである。
【００１６】
（４）また、上記（１）に記載のものにおいて、前記ホースガイドは、両方の縦辺部が前記前傾式扉の上辺寄りと下辺寄りの位置を移動可能に取り付けられており、
前記前傾式扉の開閉の動きに連動して前記ホースガイドを前記前傾式扉の上辺寄りと下辺寄りの位置で移動させるホースガイド移動機構を有し、
該ホースガイド移動機構は、
前記前傾式扉の閉止動作時には該閉止動作に連動して前記ホースガイドを前記前傾式扉の下辺寄りに移動し、前記前傾式扉の開放動作時には該開放動作に連動して前記ホースガイドを前記前傾式扉の上辺寄りに移動することを特徴とするものである。
【００１７】
（５）また、上記（１）に記載のものにおいて、前記移動可能な縦辺部を前記前傾式扉の上辺寄りと下辺寄りの位置で移動させる駆動手段と、前記消火ノズルがノズル固定部に固定されたか、又は外されたかを検知する検知手段と、該検知手段の検知信号を入力して前記駆動手段を駆動させる制御部とを有し、
該制御部は、
前記消火ノズルがノズル固定部から外された旨の信号が入力されると前記縦辺部が上辺寄りに移動するように前記駆動手段を駆動し、
前記消火ノズルがノズル固定部に固定された旨の信号が入力されると前記縦辺部が下辺寄りに移動するように前記駆動手段を駆動することを特徴とするものである。
【発明の効果】
【００１８】
本発明においては、ホースガイドは、所定間隔を離して配置された２本の縦辺部と、該縦辺部を繋ぐ横辺部を有し、前記２本の縦辺部の間にホースが挿入されるものであり、前記縦辺部のうち少なくとも前記前傾式扉を開放した状態で前記ノズル固定部寄りに配置された縦辺部が、前記前傾式扉を閉止した状態では前記前傾式扉を開放した状態よりも前記前傾式扉の下辺寄りに移動できる構造であるため、前傾式扉の高さが低くなった場合であっても、ホースの収納性とホースの引出し性能に優れる。
【図面の簡単な説明】
【００１９】
【図１】本発明の実施の形態１に係る消火栓装置の正面図である。
【図２】図１に示した消火栓装置の前傾式扉を開放した状態で、消火ノズルをノズル固定部から外す前の状態の平面図（一部切断）である。
【図３】図１に示した消火栓装置の前傾式扉を開放した状態の側面図である。
【図４】本発明の実施の形態１に係る消火栓装置のホースガイドの説明図である。
【図５】図４に示したホースガイドの動きの説明図であり、図４の矢視Ａ―Ａに相当する図である。
【図６】本発明の実施の形態１に係る消火栓装置の前傾式扉の開閉とホースガイドの動きとの関係を説明する説明図である。
【図７】本発明の実施の形態２に係る消火栓装置のホースガイドの説明図であり、図７（ｂ）は図７（ａ）の矢視Ｂ−Ｂに相当する図である。
【図８】本発明の実施の形態２に係る消火栓装置の駆動力変換機構の説明図であり、図８（ｂ）は図８（ａ）の矢視Ｃ−Ｃに相当する図である。
【図９】図８に示した駆動力変換機構の歯車を詳細に示す図である。
【図１０】本発明の実施の形態２に係る消火栓装置の動作を説明する説明図である。
【図１１】本発明の実施の形態３に係る消火栓装置の正面図である。
【図１２】本発明の実施の形態３に係る消火栓装置の前傾式扉の開閉とホースガイドの動きとの関係を説明する説明図である。
【図１３】本発明の実施の形態３に係る消火栓装置のホースガイド移動機構の説明図であり、図１３（ｂ）は図１３（ａ）の矢視Ｄ−Ｄに相当する図である。
【図１４】図１３に示したホースガイド移動機構の歯車を詳細に示す図である。
【図１５】本発明の実施の形態３に係る消火栓装置のホースガイドの説明図である。
【図１６】本発明の実施の形態３に係る消火栓装置のホースガイドの動作を説明する説明図である。
【図１７】本発明の実施の形態３に係る消火栓装置のホースガイドの他の態様の説明図である。
【図１８】消火栓装置が設置されるトンネル内部の説明図である。
【図１９】従来の消火栓装置の説明図である。
【発明を実施するための形態】
【００２０】
［実施の形態１］
本実施の形態に係る消火栓装置１は、図１８に示したような車道５２の側部の監査路５３に設けられ、図１に示すように、箱状の本体３と、本体３の前面に設けられた開口部５ａを有する前面パネル５と、前面パネル５の開口部５ａに開閉可能に設けられた前傾式扉７とを備えている。
以下、各構成を詳細に説明する。
【００２１】
＜本体＞
本体３は、図１〜図３に示すように、矩形の箱状からなる筺体を有し、筺体内には内巻きに巻き回されたホース８を収納するホース収納部９及びホース収納部９に収納されたホース８を引き出すための中央開口部１１が設けられている。また、筐体内には、ホース収納部９の右側に、消火栓弁や自動調圧弁を有する配管系統１２が設けられている。配管系統１２は、先端側がホース８の基端側と接続されるとともに、基端側が図示しない給水源に接続されている。
【００２２】
《ホース収納部》
ホース収納部９は、本体３の内壁上面から内壁下面に至る２本の棒状体１３と、棒状体１３から本体３の内壁背面に至る略Ｌ字状に屈曲した２枚の帯板１５とを備えて構成されている。
そして、２本の棒状体１３の間に中央開口部１１が形成され、ここからホース８が引き出される。
【００２３】
＜前面パネル＞
前面パネル５は、本体３の前面に設けられ、中央開口部１１の前方に位置する部位が開口しており、この開口部５ａを閉鎖可能に前傾式扉７が取り付けられている。
【００２４】
＜前傾式扉＞
前傾式扉７は板状の金属板から構成された横長の矩形状をしており、上述のように前面パネル５の開口部５ａを閉鎖可能に取り付けられている。
前傾式扉７は、下辺７ｂの両端に回動軸が設けられ、開口部５ａを閉鎖状態から、図２、図３に示すように、背面を上に向けて監査路５３と略平行な状態にまで開くことができる。
【００２５】
本発明において、前傾式扉７の高さは限定されていないが、開放時において監査路５３からの突出量が建築限界を超えない高さが望ましく、例えば、前傾式扉７の高さが前面パネル５の高さの半分以下に設定されているのが望ましい。または、前傾式扉７の高さの実寸法としては、例えば380mm〜430mmが好ましく、換言すれば、開放時における消火栓装置１の前面（前面パネル５）からの突出量（長さ）を、例えば300mm〜350mmとするのが好ましい。
前傾式扉７の背面側には、消火ノズル１６を着脱可能に固定するノズル固定部１７及びホース８を引き出す際にガイドとなるホースガイド１９、消火栓弁を開閉操作する操作レバー２０が設けられている。
【００２６】
《ノズル固定部》
ノズル固定部１７は、ホース収納時において、ホース８の先端に設けられた消火ノズル１６を固定するものであり、例えば、ノズルキャッチャーと言われるＣ型の係止片１７ａによって構成されている。そして、図２に示すように、消火用ノズル１６を、その軸芯方向が前傾式扉７の幅方向と略平行となるように固定している。
ノズル固定部１７の位置は、消火ノズル１６のハンドル１６ａが収納時に前傾式扉７からはみ出ないことを条件にできるだけ前傾式扉７の上辺７ａ寄りに設けるのが好ましい。その理由は、ホース収納時において、消火ノズル１６からホース収納部９に至る長さを確保できるため、ホース８を無理な力を加えることなく収納できるからである。
なお、図２に示す状態は、前傾式扉７を開放したが、消火ノズル１６をノズル固定部１７から外す前の状態であり、ホースガイド１９の向きは、前傾式扉７を閉止した状態と同じである。他方、図３に示す状態は、前傾式扉７を開放し、消火ノズル１６をノズル固定部１７から外した後の状態であり、ホースガイド１９の向きが後述する図６（ａ）と同じ向きになっている。
【００２７】
《ホースガイド》
ホースガイド１９は、図４に示すように、前傾式扉７の背面側に立設された第１縦辺部１９ａと、横辺部１９ｃを介して第１縦辺部１９ａと所定の間隔を離して設けられた第２縦辺部１９ｂを有し、全体形状が逆Ｕ字状をしている。
ホースガイド１９は、前傾式扉７を閉じたときには、図１に示すように、ホース収納部９の中央開口部１１、より詳細には、ホース収納部９に収納されたホース８の内側に配置される。なお、横辺部１９ｃはアーチ形でも直線形でもよい。
【００２８】
そして、第１縦辺部１９ａの下端は、図４に示すように、ベアリング２３を介して前傾式扉７に回動可能に取り付けられている。また、第１縦辺部１９ａの下端部には、後述するストッパ２７に係止する係止部２４が設けられている。
さらに、第２縦辺部１９ｂの下端には錘２５が取り付けられていると共に前傾式扉７との間に隙間Ｓを有している。したがって、ホースガイド１９は、第１縦辺部１９ａが回動することで、第２縦辺部１９ｂが前傾式扉７の上辺７ａ寄りの位置から下辺７ｂ寄りの位置に移動できるようになっている。
【００２９】
また、第１縦辺部１９ａの下端には、係止部２４に係止することによって、第１縦辺部１９ａの回動角度を規制する２つのストッパ２７が設けられている。このため、第１縦辺部１９ａは、図５に示すように、９０°の範囲内で回動できるようになっている。より具体的には、図５（ａ）に示すように、横辺部１９ｃが水平になる状態から、図５（ｂ）に示すように、横辺部１９ｃが鉛直下方に向く状態まで回動できる。つまり、ストッパ２７は、前傾式扉７に設けられて、係止部２４に係止可能なように、第１縦辺部１９ａの下端の外周部であって、係止部２４の回動軌跡に対応する位置に配置されている。そして、ストッパ２７は、横辺部１９ｃが水平になる状態とする位置と、横辺部１９ｃが鉛直下方に向く状態とする位置で係止部２３に係止する。
ホースガイド１９を、第１縦辺部１９ａを軸にして回動可能にした理由は以下の通りである。
【００３０】
ホースガイド１９の主な役割は、ホース８を引き出すときにホース８を引き出し易くすると共にホース８がほどけない（ばらけない）ようにすることである。そのため、ホース８を引き出す状態、すなわち前傾式扉７を開けた状態では、図６（ａ）に示すように、第１縦辺部１９ａと第２縦辺部１９ｂが水平方向に一直線に並んだ（上辺７ａ寄りに移動した）状態が好ましい。
他方、前傾式扉７を閉めた状態では、第１縦辺部１９ａと第２縦辺部１９ｂが水平方向に一直線に並んだ状態では、ホース８が第２縦辺部１９ｂに干渉してしまう。そこで、前傾式扉７を閉めた状態では、図６（ｂ）に示すように、第２縦辺部１９ｂが前傾式扉７の下辺７ｂ側に移動して第１縦辺部１９ａと第２縦辺部１９ｂが垂直方向で一直線に並んだ状態なることで、ホース８が第２縦辺部１９ｂに干渉しなくなるようにできる。
なお、図６（ｂ）は前傾式扉７を開けた状態が図示されているが、これは前傾式扉７を閉じた状態におけるホースガイド１９の向きを説明するためであり、上述のように、前傾式扉７を閉じた状態では、ホースガイド１９の向きが図６（ｂ）に示す状態になる。
【００３１】
以上のように構成された本実施の形態の消火栓装置１の消火時の操作について説明する。
トンネル５１内で火災が発生すると、操作者は、まず前傾式扉７を前面側（車道５２側）に倒すことで開扉し、前傾式扉７が約９０度回動して、前傾式扉７が監査路５３と略平行になった状態にする。
【００３２】
操作者は、操作レバー２０を操作して消火栓弁を開放することでホース８に消火水を供給するとともに、消火ノズル１６をノズル固定部１７から外して、ホース８を火災のある方向に引き出して消火活動を行う。ホース８の引出しに際して、本実施の形態の消火栓装置１では、図６（ａ）に示すように、ホースガイド１９が第１縦辺部１９ａを軸にして回動して、横辺部１９ｃが前傾式扉７の上辺７ａと平行になる（上辺７ａ寄りに移動した）ことで、ホース８の引き出し側にある第２縦辺部１９ｂが中央開口部１１から離れた位置に配置され、中央開口部１１からの距離が長くなるので、過大な引出し力を必要とせず、円滑なホース引出しが可能である。
【００３３】
他方、ホース８を収納した状態では、前傾式扉７を閉じるとホースガイド１９は第２縦辺部１９ｂに取り付けた錘２５に作用する重力によって第１縦辺部１９ａが回動し、第２縦辺部１９ｂは第１縦辺部１９ａの鉛直下方に配置（下辺７ｂ寄りに移動）される。このため、消火ノズル１６をノズル固定部１７に固定した状態で、第２縦辺部１９ｂとホース８が干渉することがなく、ホース８が前傾式扉７の上辺７ａから飛び出ることもない。
【００３４】
なお、上記の説明では、前傾式扉７の高さについては、限定しておらず、従来例のように前傾式扉の高さが高いものに本発明を適用することを除外するものではないが、前述のように、本発明を適用すれば、前傾式扉の高さが低くなった場合においても、ホース８の収納性とホース８の引出し性能に優れるものであり、高さの低い前傾式扉に適用することで、前傾式扉の先端部が監査路５３の幅を越えるのを確実に防止できるという効果を合わせて奏することができる。
【００３５】
また、上記の説明では、第２縦辺部１９ｂに錘２５を設け、錘２５に作用する重力によって第１縦辺部１９ａを回動させる例を説明したが、第２縦辺部１９ｂ自身に作用する重力（自重）によって第１縦辺部１９ａを回動可能であれば、錘２５は不要としてもよい。
また、上記の説明では、ノズル固定部１７は、消火用ノズル１６を、その軸芯方向が前傾式扉７の幅方向と略平行となるように固定している例を示したが、これに限定されない。例えば、消火用ノズル１６の先端側が基端側よりも、前傾式扉７の上辺７ａからの距離が前傾式扉７の回動軸寄りになるように、固定してもよい。
【００３６】
［実施の形態２］
実施の形態１のホースガイド１９は第２縦辺部１９ｂに設けた錘２５に作用する重力によって第１縦辺部１９ａを回動させるものであったが、本実施の形態のホースガイド２９は、前傾式扉７の開閉動作に連動してホースガイド２９の第１縦辺部２９ａを回動させるものである。
そのために、ホースガイド２９は、図７に示すように、第１縦辺部２９ａ、第２縦辺部２９ｂ及び横辺部２９ｃを有し、第１縦辺部２９ａが回動可能に前傾式扉７に取り付けられているが、実施の形態１のホースガイド１９に設けられていた錘２５は設けられていない。その一方で、第１縦辺部２９ａの基端部には第１縦辺部２９ａを回動させるためのワイヤ３１（第１ワイヤ３１ａ、第２ワイヤ３１ｂ）が取り付けられている。
また、開閉時の前傾式扉７の動きを、第１縦辺部２９ａを回動させる駆動力に変換する駆動力変換機構３２を備えている（図８〜図１０参照）。
【００３７】
駆動力変換機構３２は、一端側が筺体に固定され前傾式扉７を回動可能に支持する回転支持軸３３と、回転支持軸３３の前傾式扉７側の端部に設けられた第１傘歯車３５と、先端に第１傘歯車３５と噛み合う第２傘歯車３７を有し、基端が前傾式扉７に回転可能に取り付けられた従動軸部材３９と、一端側が従動軸部材３９に取り付けられ、他端側が第１縦辺部２９ａに取り付けられ、従動軸部材３９の回転力を第１縦辺部２９ａに伝達するワイヤ３１とを備えている。
【００３８】
本実施の形態では、ワイヤ３１は、前傾式扉７を開放する際の動きを第１縦辺部２９ａに伝達する第１ワイヤ３１ａと、前傾式扉７を閉止する際の動きを第１縦辺部２９ａに伝達する第２ワイヤ３１ｂの２本のワイヤ３１からなる。
第１ワイヤ３１ａ、第２ワイヤ３１ｂの先端部は、それぞれ従動軸部材３９と第１縦辺部２９ａの外周面に固定されている。そのため、従動軸部材３９が回転すると第１ワイヤ３１ａ、第２ワイヤ３１ｂは従動軸部材３９に巻き付き、これによって第１ワイヤ３１ａ、第２ワイヤ３１ｂに引張り力が作用する。この引張り力が第１縦辺部２９ａに作用すると、第１縦辺部２９ａが回転する。
【００３９】
上記のように構成された本実施の形態において前傾式扉７が回転支持軸３３を中心として回動すると、第２傘歯車３７は自転しながら第１傘歯車３５の軸回りを公転するため、従動軸部材３９が回転する。この従動軸部材３９の回転力は２本のワイヤ３１を介して第１縦辺部２９ａに伝達される。
例えば、前傾式扉７を開ける動作の場合には、従動軸部材３９が図１０（ａ）に示すように、図中反時計回りに回転し、従動軸部材３９が回転すると、第１ワイヤ３１ａが引っ張られ、この引張力が第１縦辺部２９ａに伝達され、第１縦辺部２９ａは図１０（ｂ）の反時計回りに回転する。これによって、第２縦辺部２９ａは図１０（ｂ）の矢印Ａの方向に移動し、横辺部材２９ｃが前傾式扉７の上辺７ａと平行な（上辺７ａ寄りに移動した）状態となる（図６（ａ）参照）。
【００４０】
逆に、前傾式扉７を閉める場合には、従動軸部材３９が図１０（ａ）に示すように、図中時計回りに回転し、従動軸部材３９が回転すると、第２ワイヤ３１ｂが引っ張られこの引張力が第１縦辺部２９ａに伝達され、第１縦辺部２９ａは図１０（ｂ）の時計回りに回転する。これによって、第２縦辺部２９ｂは図１０（ｂ）の矢印Ｂの方向に移動し、横辺部材２９ｃが前傾式扉７の上辺７ａと垂直な（下辺７ｂ寄りに移動した）状態となる（図６（ｂ）参照）。
【００４１】
なお、前傾式扉７の回動角度は０〜９０°で、ホースガイド１９の回動角度も０〜９０°で同じであるため、歯車によって回転角度を調整する必要がないので、第１傘歯車３５と第２傘歯車３７の歯数は同じでよい。
【００４２】
以上のように、本実施の形態によれば、前傾式扉７の開閉動作によって、ホースガイド２９の向きを適切な向きに確実に変えることができる。
【００４３】
［実施の形態３］
本実施の形態の消火栓装置４０においては、ホースガイド４１の第１縦辺部４１ａ及び第２縦辺部４１ｂが一緒に、前傾式扉７に対してその上辺７ａ側と下辺７ｂ側へ移動可能に取り付けられると共に、前傾式扉７の開閉動作に連動して移動するように構成されている（図１１、図１２参照）。なお、図１１、図１２において、図１、図２と共通する部分には共通の符号を付してある。
【００４４】
消火栓装置４０は、開閉時の前傾式扉７の動きに合わせてホースガイド４１を移動させるためのホースガイド移動機構４３を備えている（図１３〜図１６参照）。なお、図１３〜図１６において、実施の形態２で説明した部材と共通する部材には共通する符号を付して有る。
【００４５】
ホースガイド移動機構４３は、一端側が筺体に固定され前傾式扉７を回動可能に支持する回転支持軸３３と、回転支持軸３３の前傾式扉７側の端部に設けられた第１傘歯車３５と、先端に第１傘歯車３５と噛み合う第２傘歯車３７を有し、基端が前傾式扉７に回転可能に取り付けられた従動軸部材３９と、従動軸部材３９の軸部に設けられた従動歯車４５と、従動歯車４５に噛み合って回転するピニオンギア４７と、ピニオンギア４７によって水平移動するラック４９を備えている。ラック４９には、ホースガイド４１が取り付けられており、ラック４９が水平移動することで、ホースガイド４１が水平移動する。
【００４６】
上記のように構成された本実施の形態において前傾式扉７が回転支持軸３３を中心として回動すると、第２傘歯車３７は自転しながら第１傘歯車３５の軸回りを公転するため、従動軸部材３９が回転する。従動軸部材３９が回転すると、従動歯車４５が回転し、これに噛み合うピニオンギア４７が回転し、さらにはラック４９が水平移動し、ラック４９に取り付けられたホースガイド４１が水平移動する（図１６参照）。
【００４７】
例えば、前傾式扉７を開ける動作の場合には、図１６（ａ）に示すように、従動歯車４５が図中反時計回りに回転し、これに噛み合うピニオンギア４７が時計回りに回転する。ピニオンギア４７の回転により、ラック４９が図中下方向に移動し、ラック４９に取り付けられたホースガイド４１が図中下方向、すなわち前傾式扉７の上辺７ａ寄りに移動する（図１２（ａ）参照）。
ホースガイド４１が前傾式扉７の上辺７ａ寄りに移動することで、中央開口部１１からホースガイド４１までの距離が長くなり、ホース８を引き出す際のホース８の屈曲半径を大きくすることができ、ホース８の引き出しに必要な力を小さくできるので、ホース８の円滑な引出しが可能になる。
【００４８】
前傾式扉７を閉める場合には、図１６（ｂ）に示すように、従動歯車４５が図中時計回りに回転し、これに噛み合うピニオンギア４７が反時計回りに回転する。ピニオンギア４７の回転により、ラック４９が図中上方向に移動し、ラック４９に取り付けられたホースガイド４１が図中上方向、すなわち前傾式扉７の下辺７ｂ寄りに移動する（図１２（ｂ）参照）。ホースガイド４１の位置が前傾式扉７の下辺７ｂ寄りに移動することで、消火ノズル１６をノズル固定部１７に固定した状態で、第２縦辺部４１ｂとホース８が干渉することがなく、ホース８が前傾式扉７の上辺７ａから飛び出ることもない。
【００４９】
以上のように、本実施の形態によれば、前傾式扉７の開閉動作によって、ホースガイド４１の位置を適切な位置に移動することができ、前傾式扉７の高さが低くなった場合であっても、ホース８の収納性とホース８の引出し性能に優れる。
【００５０】
なお、上記の説明では、ホースガイド４１は図１５に示すように、第１縦辺部４１ａがラック４９に固定されるものであったが、例えば図１７に示すように、第１縦辺部４１ａ及び第２縦辺部４１ｂの両方がラック４９に固定されるような態様でもよい。
【００５１】
上記の実施の形態２、３に示したものは、前傾式扉７の開閉時の動きを機械的な機構を用いて伝達することで、ホースガイド２９を回動させ、又はホースガイド４１を移動させるようにしたものである。
ホースガイド２９、４１の回動又は移動方法として、実施の形態２、３で示した従動軸部材３９を回転させるモータと、モータの駆動を制御する制御部と、消火ノズル１６がノズル固定部１７から外されたこと及び消火ノズル１６がノズル固定部１７に固定されたことを検知する検知手段を設け、制御部が検知手段の検知信号を入力してモータの駆動を制御するようにしてもよい。
【００５２】
具体的には、消火ノズル１６がノズル固定部１７から外されたことを検知手段が検知すると、この信号を入力した制御部は、従動軸部材３９を反時計回りに回動させるようにモータを制御して、従動軸部材３９が回動してストッパ２７に当接した時点でモータの回転を停止する。
また、消火ノズル１６がノズル固定部１７に固定されたことを検知手段が検知すると、この信号を入力した制御部は、従動軸部材３９を時計回りに回動させるようにモータを制御して、従動軸部材３９が回動してストッパ２７に当接した時点でモータの回転を停止する。
【符号の説明】
【００５３】
１  消火栓装置
３  本体
５  前面パネル
５ａ  開口部
７  前傾式扉
７ａ  上辺
７ｂ  下辺
８  ホース
９  ホース収納部
１１  中央開口部
１２  配管系統
１３  棒状体
１５  帯板
１６  消火ノズル
１６ａ  ハンドル
１７  ノズル固定部
１７ａ  係止片
１９  ホースガイド
１９ａ  第１縦辺部
１９ｂ  第２縦辺部
１９ｃ  横辺部
２０  操作レバー
２３  ベアリング
２４  係止部
２５  錘
２７  ストッパ
２９  ホースガイド（実施の形態２）
２９ａ  第１縦辺部
２９ｂ  第２縦辺部
２９ｃ  横辺部
３１  ワイヤ
３１ａ  第１ワイヤ
３１ｂ  第２ワイヤ
３２  駆動力変換機構
３３  回転支持軸
３５  第１傘歯車
３７  第２傘歯車
３９  従動軸部材
４０  消火栓装置（実施の形態３）
４１  ホースガイド（実施の形態３）
４１ａ  第１縦辺部
４１ｂ  第２縦辺部
４１ｃ  横辺部
４３  ホースガイド移動機構
４５  従動歯車
４７  ピニオンギア
４９  ラック
５１  トンネル
５２  車道
５３  監査路
５５  トンネル壁面
５７  箱抜き空間
５９  消火栓装置（従来例）
６０  ホース
６１  ホース収納部
６３  本体
６５  前面パネル
６５ａ  開口部
６７  前傾式扉
６９  ホースガイド
７１  消火ノズル
７３  ホースホルダ
７５  操作レバー
Ｓ  隙間
【図１】
0006534877.tif 000002
【図２】
0006534877.tif 000003
【図３】
0006534877.tif 000004
【図４】
0006534877.tif 000005
【図５】
0006534877.tif 000006
【図６】
0006534877.tif 000007
【図７】
0006534877.tif 000008
【図８】
0006534877.tif 000009
【図９】
0006534877.tif 000010
【図１０】
0006534877.tif 000011
【図１１】
0006534877.tif 000012
【図１２】
0006534877.tif 000013
【図１３】
0006534877.tif 000014
【図１４】
0006534877.tif 000015
【図１５】
0006534877.tif 000016
【図１６】
0006534877.tif 000017
【図１７】
0006534877.tif 000018
【図１８】
0006534877.tif 000019
【図１９】
0006534877.tif 000020